(57)【要約】【課題】組立時のハウス内の電気工事が不要となり、組立の工数、労力の軽減を図ることができるようにする。【解決手段】天井領域を複数に分割した面積からなる天井パネル１０Ａに、照明器具１２、ケーブル１６ａ，１６ｂ及びコンセント１７ａ，１７ｂと、各種電気機器のプラグを電気的に接続するための室内コンセント１４ａ，１４ｂ、ケーブル１８ａ，１８ｂ及びコンセント１９とを取り付け、また天井パネル１０Ｂにブレーカー２１とコンセント２２ａ，２２ｂを配置し、天井パネル１０Ｂ→天井パネル１０Ａ−１→天井パネル１０Ａ−２の順の電気配線により、ブレーカー２１に対し、照明器具用の連結ケーブル２７とコンセント用の連結ケーブル２９を用い、照明器具１２と室内コンセント１４ａ，１４ｂを接続する。【選択図】図１
0003137603.tif 000002
【実用新案登録請求の範囲】
【請求項１】
天井領域を複数に分割した面積からなり、照明器具及びこの照明器具用の電気接続具と、各種電気機器のプラグを電気的に接続するための室内コンセント及びこの室内コンセント用の電気接続具とが取り付けられた複数の天井パネルと、
電気接続具を有する複数の連結ケーブルとを設け、
上記複数の天井パネル間の照明器具用電気接続具同士及び室内コンセント用電気接続具同士を上記連結ケーブルにて接続し、１つのパネルの照明器具用電気接続具及び室内コンセント用電気接続具に対して供給された電力を複数の照明器具及び室内コンセントへ供給するように構成した組立式パネルハウス。
【請求項２】
天井領域を複数に分割した面積からなる1つの天井パネルに、ブレーカー及び点検口を配置し、このブレーカーを介して上記照明器具及び室内コンセントへ電力を供給することを特徴とする請求項１記載の組立式パネルハウス。
【請求項３】
上記照明器具用電気接続具に配置されるケーブル及び照明器具用の連結ケーブルの色と、上記室内コンセント用電気接続具に配置されるケーブル及び室内コンセント用の連結ケーブルの色とを異なる色に設定したことを特徴とする請求項１記載の組立式パネルハウス。
【考案の詳細な説明】
【技術分野】
【０００１】
本考案は組立式パネルハウス、特に複数のパネルを配置してハウスを簡単に組み立てることができるパネルハウスの天井パネルの構造に関するものである。
【背景技術】
【０００２】
従来から、パネルハウス、ユニットハウス等と呼ばれる組立式パネルハウスが事務所、店舗、仮設住宅等として建設されており、これらの組立式パネルハウスは、例えば床パネル、壁パネル、天井パネル等、工場で仕上げられた構成部材を組み立てることにより建設される。このような組立式パネルハウスによれば、組立工数が少なく、短時間に建設物が完成するという利点がある。
【０００３】
【特許文献１】実開平０７−３２０４２号公報
【特許文献２】特開平１１−３２４１７号公報
【考案の開示】
【考案が解決しようとする課題】
【０００４】
ところで、この種の組立式パネルハウスでも、一般の建物と同様に、ハウス内の天井には照明器具が取り付けられ、また壁パネル等に各種電気機器を接続する室内コンセントが配置される。
しかしながら、従来における照明器具や室内コンセントの取付けは、パネルハウスが組み立てられた後に、別の電気工事等で行われており、組立の工数、労力の軽減が図れないという問題があった。
【０００５】
本考案は上記問題点に鑑みてなされたものであり、その目的は、組立時のハウス内の電気工事が不要となり、組立の工数、労力の軽減を図ることができる組立式パネルハウスを提供することにある。
【課題を解決するための手段】
【０００６】
上記目的を達成するために、請求項１に係る考案は、天井領域を複数に分割した面積からなり、照明器具及びこの照明器具用の電気接続具（コンセント、コネクタ等）と、各種電気機器のプラグを電気的に接続するための室内コンセント及びこの室内コンセント用の電気接続具とが取り付けられた天井パネルと、電気接続具を有する複数の連結ケーブルとを設け、上記複数の天井パネル間の照明器具用電気接続具同士及び室内コンセント用電気接続具同士を上記連結ケーブルにて接続し、１つのパネルの照明器具用電気接続具及び室内コンセント用電気接続具に対して供給された電力を複数の照明器具及び室内コンセントへ供給するように構成したことを特徴とする。
請求項２に係る考案は、天井領域を複数に分割した面積からなる1つの天井パネルに、ブレーカー及び点検口を配置し、このブレーカーを介して上記照明器具及び室内コンセントへ電力を供給することを特徴とする。
請求項３に係る考案は、上記照明器具用電気接続具に配置されるケーブル及び照明器具用の連結ケーブルの色と、上記室内コンセント用電気接続具に配置されるケーブル及び室内コンセント用の連結ケーブルの色とを異なる色に設定したことを特徴とする。
【０００７】
上記の構成によれば、工場等で予め製作されたパネルで、例えばブレーカーと点検口を配置した天井パネル、照明器具及び室内コンセントを配置した複数の天井パネル、そして照明器具及び室内コンセントを配置しない天井パネルが所定の組合せで天井部分に敷設される。その後、照明器具用電気接続具及び室内コンセント用電気接続具と連結ケーブルによって、上記のブレーカーとこれに近い位置の照明器具及び室内コンセントとが電気的に接続され、また複数の天井パネル間の照明器具同士及び室内コンセント同士が接続されることにより、天井が組み立てられる。
【考案の効果】
【０００８】
本考案の組立式パネルハウスは、複数の天井パネル間の照明器具用電気接続具同士と室内コンセント用電気接続具同士を、単に電気接続具を有する連結ケーブルで接続するだけで、照明器具と室内コンセントを容易に取付け、配置することができ、組立時のハウス内の電気工事が不要となり、組立の工数、労力の軽減を図ることができるという効果がある。
【０００９】
請求項２の考案によれば、ブレーカーを含めた照明器具と室内コンセントの取付けが簡単にでき、また点検口によって、ブレーカー及びブレーカーの電気接続状態等の点検・確認が容易になるという利点がある。
請求項３の考案によれば、色によって、照明器具を電気的に接続するためのケーブルと室内コンセントを電気的に接続するためのケーブルが識別でき、商用電源への電気的接続を容易かつ確実に行うことができるという効果がある。
【考案を実施するための最良の形態】
【００１０】
図１乃至図５には、本考案の実施例に係る組立式パネルハウス（組立式建築物）の構成が示されており、図１（Ａ）は、照明器具及び室内コンセント用の天井パネル１０Ａの裏面側の図、図１（Ｂ）は、ブレーカー用の天井パネル１０Ｂの裏面側の図である。まず、図１（Ａ）に示されるように、実施例の天井パネル１０Ａは、縦横が１８００×９００ｍｍ（１畳）となる大きさからなり、その中央に設けた開口に照明器具（例えば蛍光灯器具）１２が取り付けられると共に、照明器具１２の長手方向の両端外側に、各種電気機器のプラグを接続するための室内コンセント１４ａ，１４ｂが取り付けられる。当然、上記照明器具１２の蛍光灯や電球、そして室内コンセント１４ａ，１４ｂの差込口は、天井パネル１０Ａの表側に配置される。
【００１１】
また、上記照明器具１２の両端電極部のそれぞれには、被覆材の色がグレーとされたケーブル（電気コード）１６ａ，１６ｂ及び電気接続具としてのコンセント１７ａ，１７ｂが接続され、上記室内コンセント１４ａ，１４ｂには、被覆材の色がイエローとされたケーブル１８ａ，１８ｂ及び２つの差込口を有する電気接続具としてのコンセント１９が接続される。
【００１２】
図１（Ｂ）に示されるように、天井パネル１０Ｂは、同様に縦横が１８００×９００ｍｍとなる大きさからなり、この天井パネル１０Ｂには、例えば照明用電源ラインと室内コンセント用電源ラインの２ラインの遮断を行うブレーカー（安全器）２１が取り付けられ、このブレーカー２１には、電気接続具としてのコンセント２２ａ，２２ｂが設けられる。また、上記ブレーカー２１の近くに、点検口２４が設けられており、この点検口２４は、天井パネル１０Ｂに設けられた開口に蓋が着脱自在に取り付けられる構成となっている。
【００１３】
図２には、９畳の部屋に適用した天井の裏側の構成、図３には、天井の表側の構成が示されており、この場合の組立では、上述した照明器具及び室内コンセント用の天井パネル１０Ａが２枚（１０Ａ−１，１０Ａ−２）、ブレーカー用の天井パネル１０Ｂが１枚、そして何も配置していない天井パネル（１８００×９００ｍｍ）１０Ｃが６枚用いられる。即ち、図示されるように、ブレーカー用の天井パネル１０Ｂが端部に縦配置され、これに並ぶように、天井パネル１０Ｃを間に挟みながら、照明器具及び室内コンセント用の天井パネル１０Ａの２枚が縦配置され、その上側に、天井パネル１０Ｃの３枚が横配置される。
【００１４】
そして、図４の電気配線図にも示されるように、天井パネル１０Ｂのブレーカー２１に対し、これに近い天井パネル１０Ａ−１が電気配線され、この天井パネル１０Ａ−１に対し天井パネル１０Ａ−２が電気配線される。即ち、照明用配線では、プラグ２６を有し被覆材の色がグレーとなる連結ケーブル（電気コード）２７が用いられ、この連結ケーブル２７にて、ブレーカー２１側のコンセント２２ａと天井パネル１０Ａ−１の照明器具（１２）側のコンセント１７ａとの間が接続され、またこの天井パネル１０Ａ−１の照明器具側のコンセント１７ｂと次の天井パネル１０Ａ−２の照明器具側のコンセント１７ａとの間が連結ケーブル２７で接続される。なお、上記コンセント１７ａと１７ｂは、蛍光管を介して接続される。同様にして、別室等に他の天井パネル１０Ａがある場合は、天井パネル１０Ａ−２の照明器具側のコンセント１７ｂと他の天井パネル１０Ａの照明器具側のコンセント１７ａとの接続が行われる。
【００１５】
一方、室内コンセント用配線では、プラグ２８を有し被覆材の色がイエローとなる連結ケーブル（電気コード）２９が用いられ、この連結ケーブル２９にて、ブレーカー２１側のコンセント２２ｂと天井パネル１０Ａ−１の室内コンセント（１４ａ，１４ｂ）側のコンセント１９との間が接続され、またこの天井パネル１０Ａ−１の室内コンセント側のコンセント１９と次の天井パネル１０Ａ−２の室内コンセント側のコンセント１９との間が連結ケーブル２９で接続される。同様にして、別部屋等に他の天井パネル１０Ａがある場合は、天井パネル１０Ａ−２の室内コンセント側のコンセント１９と他の天井パネル１０Ａの室内コンセント側のコンセント１９との接続が行われる。
【００１６】
このようにして、天井部の組立が完了するが、この場合の天井の表側（室内側）は、図３に示されるように、９畳の部屋の天井に、蛍光灯等の照明器具１２が２つ設けられ、またこれらの照明器具１２の長手方向の両端部に、２つの室内コンセント１４ａ，１４ｂが設けられることになり、この室内コンセント１４ａ，１４ｂには、部屋に設けられる各種電気機器のプラグを接続することが可能となる。また、部屋の端部には、ブレーカー２１と点検口２４が配置され、この点検口２４によって、ブレーカー２１の配線等の点検・確認をすることができる。
【００１７】
また、実施例では、照明器具の接続に関するケーブルの色をグレー、室内コンセントの接続に関するケーブルの色をイエローとしたので、それぞれの配線を間違えることなく、容易かつ短時間に行うことが可能になる。
【００１８】
なお、上記実施例では、照明器具用の電気接続具としてコンセント１７ａ，１７ｂを設けると共に、連結ケーブル２７の電気接続具としてプラグ２６を設け、また室内コンセント用の電気接続具としてコンセント１９を設けると共に、連結ケーブル２９の電気接続具としてプラグ２８を設けたが、これらのコンセント１７ａ，１７ｂ，１９及びプラグ２６，２８の代わりに、雄部、雌部からなるコネクタ等の他の電気接続具を用いることができる。
【００１９】
図５には、部屋の大きさが異なる場合の他の構成例が示されており、図５（Ａ）は、１０畳の部屋に適用したものであり、この場合も、上記実施例と同様に、天井パネル１０Ｂを１枚、天井パネル１０Ａを２枚配置し、天井パネル１０Ｂのブレーカー２１に対し、これに近い天井パネル１０Ａ−１が電気配線され、この天井パネル１０Ａ−１に対し天井パネル１０Ａ−２が電気配線される。図５（Ｂ）は、１６畳の部屋に適用したものであり、この場合は、天井パネル１０Ｂを１枚、天井パネル１０Ａを４枚配置し、天井パネル１０Ｂのブレーカー２１に対し、これに近い天井パネル１０Ａ−１が電気配線され、この天井パネル１０Ａ−１に対し天井パネル１０Ａ−２、この天井パネル１０Ａ−２に対し天井パネル１０Ａ−３、更にこの天井パネル１０Ａ−３に対し天井パネル１０Ａ−４が電気配線される。
【００２０】
図５（Ｃ）は、２５畳の部屋に適用したものであり、この場合は、天井パネル１０Ｂを２枚、天井パネル１０Ａを６枚配置し、一方の天井パネル１０Ｂ−１のブレーカー２１に対し、これに近い天井パネル１０Ａ−１が電気配線され、この天井パネル１０Ａ−１に対し天井パネル１０Ａ−２、この天井パネル１０Ａ−２に対し天井パネル１０Ａ−３が電気配線され、また他方の天井パネル１０Ｂ−２のブレーカー２１に対し、これに近い天井パネル１０Ａ−４が電気配線され、この天井パネル１０Ａ−４に対し天井パネル１０Ａ−５、この天井パネル１０Ａ−５に対し天井パネル１０Ａ−６が電気配線される。
【図面の簡単な説明】
【００２１】
【図１】実施例の組立式パネルハウスに用いられる天井パネル（９畳部屋）の構成を示し、図（Ａ）は照明器具及び室内コンセント用の天井パネルの図、図（Ｂ）はブレーカー用の天井パネルの図である。
【図２】実施例で組み立てられた天井の裏側の構成を示す図である。
【図３】実施例で組み立てられた天井の表側の構成を示す図である。
【図４】実施例の組立式パネルハウスの電気配線を説明するための図である。
【図５】実施例の組立式パネルハウスにおいて部屋の大きさが異なる場合の他の構成例を示す図である。
【符号の説明】
【００２２】
１０Ａ…天井パネル（照明器具及び室内コンセント用）、
１０Ｂ…天井パネル（ブレーカー用）、    １０Ｃ…天井パネル、
１２…照明器具、                    １４ａ，１４ｂ…室内コンセント、
１６ａ，１６ｂ，１８ａ，１８ｂ…ケーブル、
１７ａ，１７ｂ，１９…コンセント、  ２１…ブレーカー、
２６，２８…プラグ、                ２７，２９…連結ケーブル。
【図１】
0003137603.tif 000003
【図２】
0003137603.tif 000004
【図３】
0003137603.tif 000005
【図４】
0003137603.tif 000006
【図５】
0003137603.tif 000007